(57)【要約】【課題】吸気の流れに影響を与えることを抑制しつつ、ブローバイガスに含まれる水分を効果的に分離して除去することのできるブローバイガスの水分除去装置を提供する。【解決手段】水分除去装置１０は、内燃機関のブローバイガスに含まれる水分を分離して除去する装置である。水分除去装置１０は、エアクリーナ２０の第２ハウジング２２と、第２ハウジング２２の外面に対して取り付けられたカバー３０とを備える。カバー３０には、カバー３０の内面と第２ハウジング２２の外面との間に形成される内部空間にブローバイガスを導入する導入口３７が設けられている。第２ハウジング２２には、内部空間から第２ハウジング２２の内部にブローバイガスを導出する導出口２７が設けられている。第２ハウジング２２の外面及びカバー３０の内面の双方には、冷却突部としての第１突部４１、第２突部５２、第３突部４３、及び第４突部５４が設けられている。【選択図】図６
2019135384.tif 000002
【特許請求の範囲】
【請求項１】
内燃機関のブローバイガスを吸気通路に還流する還流通路に設けられ、ブローバイガスに含まれる水分を分離して除去する装置であって、
内燃機関のエアクリーナのハウジングと、
前記ハウジングの外面に対して取り付けられたカバーと、を備え、
前記カバーには、前記カバーの内面と前記ハウジングの外面との間に形成される内部空間にブローバイガスを導入する導入口が設けられ、
前記ハウジングには、前記内部空間から前記ハウジングの内部に前記ブローバイガスを導出する導出口が設けられ、
前記ハウジングの外面及び前記カバーの内面の少なくとも一方には、冷却突部が設けられている、
ブローバイガスの水分除去装置。
【請求項２】
前記カバーは、前記ハウジングの側壁の外面に対して取り付けられ、
前記導出口は、前記導入口よりも上側に設けられており、
前記カバーの周壁のうち下側に位置する底部は、前記導入口に近接するほど下側に位置するように傾斜しており、
前記冷却突部と前記底部との間には、隙間が設けられている、
請求項１に記載のブローバイガスの水分除去装置。
【請求項３】
前記冷却突部は、前記ハウジングの外面から突出する板状の第１突部と、前記カバーの内面から突出する板状の第２突部とを含み、
前記導入口と前記導出口との間において、前記第１突部と前記第２突部とが交互に配置されてラビリンス構造を構成している、
請求項１または請求項２に記載のブローバイガスの水分除去装置。
【請求項４】
前記冷却突部は、前記ハウジングの外面から突出し、前記第１突部と交差する方向に沿って延在する板状の第３突部を含む、
請求項３に記載のブローバイガスの水分除去装置。
【請求項５】
前記第３突部には、前記第２突部を逃がす凹部が設けられている、
請求項４に記載のブローバイガスの水分除去装置。
【請求項６】
前記冷却突部は、前記カバーの内面から突出し、前記第２突部と交差する方向に沿って延在する板状の第４突部を含む、
請求項３〜請求項５のいずれか一項に記載のブローバイガスの水分除去装置。
【請求項７】
前記ハウジングの内面及び前記カバーの外面の少なくとも一方には、前記冷却突部の裏面を形成する凹部が設けられている、
請求項１〜請求項６のいずれか一項に記載のブローバイガスの水分除去装置。
【発明の詳細な説明】
【技術分野】
【０００１】
本発明は、内燃機関のブローバイガスから水分を分離して除去する水分除去装置に関する。
【背景技術】
【０００２】
従来、内燃機関には、クランクケース内のブローバイガスを吸気通路に還流する還流通路が設けられている。還流通路には、ブローバイガスに含まれるオイルミストを分離するオイルミストセパレータが設けられている。
【０００３】
こうしたオイルミストセパレータとしては、内燃機関のシリンダヘッドカバーに設けられるものや、内燃機関のエアクリーナのエアアウトレット部を有する上側ケースの内部に設けられるものがある（例えば特許文献１参照）。
【０００４】
特許文献１に記載のオイルミストセパレータは、エアクリーナの上側ケースの天井壁、天井壁から下方に延在する周壁、及び周壁の延在方向下端に連結された底壁を有しており、エアインレット部の上方で、且つエアアウトレット部の半径方向においてエアアウトレット部の側方に配置されている。
【先行技術文献】
【特許文献】
【０００５】
【特許文献１】特開２０１５−１５１９９２号公報
【発明の概要】
【発明が解決しようとする課題】
【０００６】
ところで、オイルミストセパレータを通過した後のブローバイガスには水蒸気が含まれている。そのため、そうした水分が機関運転停止後において外気温の低下により凍結することで還流通路を閉塞させたり、凍結により生じた氷が次の機関始動時に吸気によって運ばれてスロットルバルブに咬み込んだりするおそれがある。このため、例えばスロットルバルブの周辺に温水配管を設定するなどの対策が必要となる。
【０００７】
また、特許文献１に記載のオイルミストセパレータの場合、エアクリーナの上側ケースの内部に設けられているために、エアインレット部からエアアウトレット部に向けて流れる吸気の流れに影響を与えるおそれがある。
【０００８】
本発明の目的は、吸気の流れに影響を与えることを抑制しつつ、ブローバイガスに含まれる水分を効果的に分離して除去することのできるブローバイガスの水分除去装置を提供することにある。
【課題を解決するための手段】
【０００９】
上記目的を達成するためのブローバイガスの水分除去装置は、内燃機関のブローバイガスを吸気通路に還流する還流通路に設けられ、ブローバイガスに含まれる水分を分離して除去する装置であって、内燃機関のエアクリーナのハウジングと、前記ハウジングの外面に対して取り付けられたカバーと、を備える。前記カバーには、前記カバーの内面と前記ハウジングの外面との間に形成される内部空間にブローバイガスを導入する導入口が設けられ、前記ハウジングには、前記内部空間から前記ハウジングの内部に前記ブローバイガスを導出する導出口が設けられ、前記ハウジングの外面及び前記カバーの内面の少なくとも一方には、冷却突部が設けられている。
【００１０】
同構成によれば、ブローバイガスは、還流通路の上流側からカバーに設けられた導入口を通じてハウジングの外面とカバーの内面との間に形成された内部空間に導入され、ハウジングに設けられた導出口を通じてエアクリーナの内部に導出される。
【００１１】
エアクリーナのハウジングは、その内部を流れる吸気によって冷却される。また、ハウジングの外面に対して取り付けられたカバーは、外気によって冷却される。特に、車載内燃機関にあっては、走行風によってカバーが一層冷却される。
【００１２】
上記構成によれば、カバーの内部空間を通過するブローバイガスは、ハウジングの外面及びカバーの内面の少なくとも一方に設けられた冷却突部との熱交換を通じて冷却されることとなる。これにより、ブローバイガスに含まれる水蒸気が結露することとなり、水蒸気が吸気通路に流入することを抑制できる。
【００１３】
また、上記構成によれば、内部空間を構成するカバーが、エアクリーナのハウジングの外側に設けられている。このため、カバーがハウジングの内側に設けられる構成とは異なり、カバーが吸気の流れに影響を与えることを抑制できる。
【００１４】
したがって、吸気の流れに影響を与えることを抑制しつつ、ブローバイガスに含まれる水分を効果的に分離して除去することができる。
【発明の効果】
【００１５】
本発明のブローバイガスの水分除去装置によれば、吸気の流れに影響を与えることを抑制しつつ、ブローバイガスに含まれる水分を効果的に分離して除去することができる。
【図面の簡単な説明】
【００１６】
【図１】ブローバイガスの水分除去装置の一実施形態について、水分除去装置を備えたエアクリーナ全体を示す斜視図。
【図２】同実施形態のカバーの内面側を示す斜視図。
【図３】同実施形態の第２ハウジングの外面のうちカバーによって覆われる部分を中心に拡大して示す拡大斜視図。
【図４】図１の４−４線に沿った断面図。
【図５】図４の５−５線に沿った断面図。
【図６】図４の６−６線に沿った断面図。
【図７】水分除去装置の変形例を示す断面図。
【図８】水分除去装置の他の変形例を示す断面図。
【発明を実施するための形態】
【００１７】
以下、図１〜図６を参照して、一実施形態について説明する。
図１に示すように、ブローバイガスの水分除去装置１０を備えたエアクリーナ２０は、車載内燃機関の吸気通路に設けられて吸気を濾過するものである。エアクリーナ２０は、上部開口を有する第１ハウジング２１と、第１ハウジング２１の上方に設けられ、下部開口を有する第２ハウジング２２と、第１ハウジング２１と第２ハウジング２２との間に設けられるフィルタエレメント２３とを備えている。
【００１８】
第１ハウジング２１は、上部開口を取り囲む側壁２１ａ、底壁２１ｂ、及び側壁２１ａから外側に向けて突出する筒状のエアインレット２１ｃを備えている。上部開口の周縁には、外周側に向かって延びるフランジ２１ｄが全周にわたって設けられている。
【００１９】
第２ハウジング２２は、下部開口を取り囲む側壁２２ａ、頂壁２２ｂ、及び側壁２２ａから外側に向けて突出する筒状のエアアウトレット２２ｃを備えている。下部開口の周縁には、外周側に向かって延びるフランジ２２ｄが全周にわたって設けられている。
【００２０】
なお、第１ハウジング２１と第２ハウジング２２とは図示しないクランプにより締結される。第１ハウジング２１及び第２ハウジング２２は、共に硬質の樹脂材料により形成されている。
【００２１】
図１、図４〜図６に示すように、第２ハウジング２２の側壁２２ａの外面には、同外面に沿う方向であり、且つ図１の上下方向に直交する方向に対して長く延在するカバー３０が取り付けられている。
【００２２】
なお、以降において、図１の上下方向を上下方向Ｙとし、カバー３０の長手方向を長手方向Ｚとし、上下方向Ｙ及び長手方向Ｚの双方に直交する方向を幅方向Ｘとして説明する。
【００２３】
図１、図４及び図６に示すように、カバー３０における長手方向Ｚの一端側（同図の右端側）には、カバー３０の内面と側壁２２ａの外面との間に形成される内部空間に内燃機関のブローバイガスを導入する筒状の導入口３７が設けられている。導入口３７には、内燃機関のブローバイガスを吸気通路に還流する還流通路が接続される。
【００２４】
図３、図４及び図６に示すように、側壁２２ａにおけるカバー３０によって覆われる部分には、側壁２２ａを貫通するとともに上記内部空間からエアクリーナ２０の内部にブローバイガスを導出する導出口２７が設けられている。導出口２７は、カバー３０における長手方向Ｚの他端側（同図の左端側）に位置している。
【００２５】
図３〜図６に示すように、側壁２２ａの外面におけるカバー３０によって覆われる部分には、複数の第１突部４１と複数の第３突部４３とが設けられている。なお、各第１突部４１及び各第３突部４３は本発明に係る冷却突部に相当する。
【００２６】
図３に示すように、各第１突部４１は、上下方向Ｙに沿って延びる長方形板状をなしている。本実施形態では、４つの第１突部４１が長手方向Ｚにおいて等間隔にて設けられている。長手方向Ｚにおいて導入口３７に近い第１突部４１ほど、上下方向Ｙの長さが長くされている。なお、導出口２７側の第１突部４１から順に符号「４１」の後にａ，ｂ，ｃ，ｄをそれぞれ付すことにより、各第１突部４１を区別することとする。
【００２７】
各第３突部４３は、長手方向Ｚにおいて導入口３７に近接するほど下側に位置するように、長手方向Ｚに対して傾斜した板状をなしている。
互いに隣り合う第１突部４１ａ，４１ｂの間には、２つの第３突部４３が上下に間隔をおいて設けられている。各第３突部４３の長手方向Ｚの両端は、第１突部４１ａ，４１ｂに連結されている。
【００２８】
互いに隣り合う第１突部４１ｂ，４１ｃの間には、３つの第３突部４３が上下方向Ｙにおいて等間隔にて設けられている。各第３突部４３の長手方向Ｚの両端は、第１突部４１ｂ，４１ｃに連結されている。
【００２９】
互いに隣り合う第１突部４１ｃ，４１ｄの間には、３つの第３突部４３が上下方向Ｙにおいて等間隔にて設けられている。各第３突部４３の長手方向Ｚの両端は、第１突部４１ｃ，４１ｄに連結されている。
【００３０】
各第３突部４３の中央部には、凹部４３ａが設けられている。
長手方向Ｚにおける第１突部４１ｄよりも導入口３７側（同図の右側）には、３つの第３突部４３が上下方向Ｙにおいて等間隔にて設けられている。各第３突部４３の長手方向Ｚの端部は、第１突部４１ｄに連結されている。
【００３１】
図６に示すように、側壁２２ａの外面からの各第１突部４１の突出長さと各第３突部４３の突出長さとは等しく設定されている。
図３及び図４に示すように、側壁２２ａの外面には、導出口２７を上側及び長手方向Ｚの両側から覆う逆Ｕ字状の庇部２４が突設されている。
【００３２】
図３及び図５に示すように、側壁２２ａの外面には、導出口２７、庇部２４、第１突部４１及び第３突部４３を囲む四角環状の接合部２５が突設されている。
詳しくは、接合部２５は、長手方向Ｚに沿って延在する頂部２５ａ、頂部２５ａの下方に位置するとともに長手方向Ｚにおいて導入口３７に近接するほど下方に位置するように傾斜した底部２５ｂ、並びに頂部２５ａと底部２５ｂの端部同士をそれぞれ連結する第１側部２５ｃ及び第２側部２５ｄとからなる。
【００３３】
図２に示すように、カバー３０は、側部開口３１を取り囲む周壁３２と、第２ハウジング２２の側壁２２ａの外面に対向する対向壁３３とを有している。側部開口３１の周縁には、外周側に向けて延びるフランジ３４が全周にわたって設けられている。フランジ３４は、第２ハウジング２２の接合部２５に対応した四角環状をなしている。本実施形態では、フランジ３４が接合部２５に対して振動溶着により接合されることで、カバー３０が第２ハウジング２２の側壁２２ａの外面に対して取り付けられている。
【００３４】
周壁３２は、接合部２５の頂部２５ａ、底部２５ｂ、第１側部２５ｃ及び第２側部２５ｄにそれぞれ対応する頂部３２ａ、底部３２ｂ、第１側部３２ｃ及び第２側部３２ｄからなる。したがって、周壁３２の底部３２ｂは、接合部２５の底部２５ｂと同様にして、長手方向Ｚにおいて導入口３７に近接するほど下方に位置するように傾斜している。
【００３５】
図１及び図４に示すように、上記導入口３７は、第２側部３２ｄの下部に突設されている。導入口３７は、底部３２ｂの傾斜方向に沿って延在しており、導出口２７よりも下方に位置している。
【００３６】
図２、図４〜図６に示すように、対向壁３３の内面には、複数の第２突部５２と複数の第４突部５４とが設けられている。なお、各第２突部５２及び各第４突部５４は本発明に係る冷却突部に相当する。
【００３７】
図２に示すように、各第２突部５２は、上下方向Ｙに沿って延びる長方形板状をなしている。本実施形態では、４つの第２突部５２が、長手方向Ｚにおいて隣り合う第１突部４１同士の間に１つずつ位置するようにして等間隔にて設けられており、ラビリンス構造を構成している（図６参照）。長手方向Ｚにおいて第２側部３２ｄに近い第２突部５２ほど、上下方向Ｙの長さが長くされている。なお、第１側部３２ｃ側の第２突部５２から順に符号「５２」の後にａ，ｂ，ｃ，ｄをそれぞれ付すことにより、各第２突部５２を区別することとする。
【００３８】
図６に示すように、第２突部５２ａ，５２ｂ，５２ｃは、対応する第３突部４３の凹部４３ａ内に位置している。
第２突部５２ｄは、第１突部４１ｄの導入口３７側に設けられた第３突部４３よりも導入口３７側に位置している。
【００３９】
図２及び図４に示すように、各第４突部５４は、長手方向Ｚにおいて第１側部３２ｃから離間するほど下方に位置するように長手方向Ｚに対して傾斜した板状をなしている。
互いに隣り合う第２突部５２ａ，５２ｂの間、第２突部５２ｂ，５２ｃの間、及び第２突部５２ｃ，５２ｄの間には、いずれも３つの第４突部５４が上下方向Ｙにおいて等間隔にて設けられている。各第４突部５４の長手方向Ｚの両端は、第２突部５２に連結されている。
【００４０】
長手方向Ｚにおける第２突部５２ｄよりも第２側部３２ｄ側には、３つの第４突部５４が上下方向Ｙにおいて等間隔にて設けられている。各第４突部５４の長手方向の端部は、第２突部５２ｄに連結されている。
【００４１】
図５及び図６に示すように、各第４突部５４と各第３突部４３とは上下方向Ｙにおいて対応する位置に設けられており、幅方向Ｘにおいて僅かな間隔をおいて対向している。
図５に示すように、冷却突部（第１突部４１、第２突部５２、第３突部４３、及び第４突部５４）と底部３２ｂとの間には、隙間Ｓが設けられている。
【００４２】
次に、本実施形態の作用について説明する。
図６に二点鎖線の矢印にて示すように、ブローバイガスは、還流通路の上流側から導入口３７を通じて第２ハウジング２２の側壁２２ａの外面とカバー３０の内面との間に形成された内部空間に導入される。そして、ブローバイガスは、第１突部４１及び第２突部５２に沿って蛇行しつつ流れ、導出口２７を通じてエアクリーナ２０の内部に導出される。
【００４３】
図６に一点鎖線の矢印にて示すように、第２ハウジング２２は、その内部を流れる吸気によって冷却される。また、第２ハウジング２２の側壁２２ａの外面に対して取り付けられたカバー３０は、外気、特に走行風によって効果的に冷却される。
【００４４】
カバー３０の内部空間を通過するブローバイガスは、第２ハウジング２２の側壁２２ａの外面及びカバー３０の内面の双方に設けられた冷却突部（第１突部４１、第２突部５２、第３突部４３、及び第４突部５４）との熱交換を通じて冷却されることとなる。これにより、ブローバイガスに含まれる水蒸気が結露することとなり、水蒸気が吸気通路に流入することを抑制できる。
【００４５】
また、内部空間を構成するカバー３０が、エアクリーナ２０の第２ハウジング２２の外側に設けられている。このため、カバーがハウジングの内側に設けられる構成とは異なり、カバー３０が吸気の流れに影響を与えることを抑制できる。
【００４６】
次に、本実施形態の水分除去装置１０の本実施形態の効果について説明する。
（１）水分除去装置１０は、内燃機関のブローバイガスを吸気通路に還流する還流通路に設けられ、ブローバイガスに含まれる水分を分離して除去する装置である。
【００４７】
水分除去装置１０は、エアクリーナ２０の第２ハウジング２２と、第２ハウジング２２の外面に対して取り付けられたカバー３０とを備える。カバー３０には、カバー３０の内面と第２ハウジング２２の外面との間に形成される内部空間にブローバイガスを導入する導入口３７が設けられている。第２ハウジング２２には、内部空間から第２ハウジング２２の内部にブローバイガスを導出する導出口２７が設けられている。第２ハウジング２２の外面及びカバー３０の内面の双方には、冷却突部としての第１突部４１、第２突部５２、第３突部４３、及び第４突部５４が設けられている。
【００４８】
こうした構成によれば、上記作用を奏することから、吸気の流れに影響を与えることを抑制しつつ、ブローバイガスに含まれる水分を効果的に分離して除去することができる。
（２）カバー３０は、第２ハウジング２２の側壁２２ａの外面に対して取り付けられている。導出口２７は、導入口３７よりも上側に設けられている。カバー３０の周壁３２の底部３２ｂは、導入口３７に近接するほど下側に位置するように傾斜している。冷却突部（第１突部４１、第２突部５２、第３突部４３、及び第４突部５４）と底部３２ｂとの間には、隙間Ｓが設けられている。
【００４９】
こうした構成によれば、カバー３０の内部空間においてブローバイガスから分離された水は、自重によりカバー３０の底部３２ｂ上に落下する。そして、傾斜する底部３２ｂを伝って導入口３７に向けて流れる。これにより、内部空間の水が導出口２７を通じて吸気通路に流入することを一層抑制できる。
【００５０】
（３）冷却突部は、第２ハウジング２２の側壁２２ａの外面から突出する板状の第１突部４１と、カバー３０の内面から突出する板状の第２突部５２とを含む。導入口３７と導出口２７との間において、第１突部４１と第２突部５２とが交互に配置されてラビリンス構造を構成している。
【００５１】
こうした構成によれば、冷却突部を構成する第１突部４１及び第２突部５２が第２ハウジング２２の側壁２２ａの外面及びカバー３０の内面にそれぞれ設けられているため、ブローバイガスが一層冷却されるようになる。しかも、第１突部４１及び第２突部５２がラビリンス構造を構成するため、ブローバイガスが第１突部４１及び第２突部５２に接触しやすくなる。このため、ブローバイガスと冷却突部との熱交換を通じた冷却が更に促されるようになる。
【００５２】
（４）冷却突部は、第２ハウジング２２の側壁２２ａの外面から突出し、第１突部４１と交差する方向に沿って延在する板状の第３突部４３を含む。
こうした構成によれば、第２ハウジング２２の側壁２２ａの外面に第１突部４１に加えて第３突部４３が設けられることで冷却突部の表面積が増える。このため、ブローバイガスが冷却突部に接触しやすくなる。また、第３突部４３は、第１突部４１と交差する方向、すなわち導入口３７から導出口２７に向かうブローバイガスの流れ方向に延在することとなる。このため、ブローバイガスの圧力損失の増大を抑制しつつ、ブローバイガスと冷却突部との熱交換を通じた冷却が更に促されるようになる。
【００５３】
（５）第３突部４３には、第２突部５２を逃がす凹部４３ａが設けられている。このため、第３突部４３の突出長さを大きく設定しながらも、第３突部４３が第２突部５２と干渉することを回避できる。したがって、冷却突部の表面積を一層増やすことができる。
【００５４】
（６）冷却突部は、カバー３０の内面から突出し、第２突部５２と交差する方向に沿って延在する板状の第４突部５４を含む。
こうした構成によれば、カバー３０の内面に第２突部５２に加えて第４突部５４が設けられることで冷却突部の表面積が増えるため、ブローバイガスが冷却突部に接触しやすくなる。また、第４突部５４は、第２突部５２と交差する方向、すなわち導入口３７から導出口２７に向かうブローバイガスの流れ方向に延在することとなる。このため、ブローバイガスの圧力損失の増大を抑制しつつ、ブローバイガスと冷却突部との熱交換を通じた冷却が更に促されるようになる。
【００５５】
（７）第２ハウジング２２の側壁２２ａの外面には、導出口２７を上側及び長手方向Ｚの両側から覆う逆Ｕ字状の庇部２４が突設されている。
こうした構成によれば、カバー３０の周壁３２を構成する頂部３２ａの内面において結露した水が自重により落下してそのまま導出口２７に流入しようとすることが庇部２４により抑制される。これにより、導出口２７を通じて吸気通路に水が流入することを一層抑制できる。
【００５６】
＜変形例＞
本実施形態は、以下のように変更して実施することができる。本実施形態及び以下の変更例は、技術的に矛盾しない範囲で互いに組み合わせて実施することができる。
【００５７】
・図７に示すように、上記実施形態において例示した第３突部４３及び第４突部５４の双方、または、いずれか一方を省略してもよい。このように構成した場合でも、上記実施形態の効果（１）〜（３）を得ることができる。
【００５８】
・上記実施形態の第１突部４１及び第２突部５２の双方、または、いずれか一方を省略してもよい。
・上記実施形態において、第３突部４３の凹部４３ａを省略することができる。この場合、第３突部４３と第２突部５２とが干渉しないように、第３突部４３の突出長さを短くすればよい。
【００５９】
・上記実施形態では、カバー３０の周壁３２の底部３２ｂを導入口３７に近接するほど下側に位置するように傾斜させたが、こうした底部を長手方向Ｚに沿って延設することもできる。
【００６０】
・例えば導入口３７と導出口２７とを上下方向Ｙにおける同一の位置に設定することもできる。
・庇部２４は逆Ｕ字状のものに限定されない。例えば導出口２７を上側からのみ覆う形状など、庇部の形状を適宜変更することもできる。また、庇部を省略することもできる。
【００６１】
・図８に示すように、第２ハウジング２２の側壁２２ａの内面に凹部８２を設け、側壁２２ａの外面から突出する冷却突部８４の裏面が凹部８２によって形成されるようにしてもよい。また、カバー３０の外面に凹部９２を設け、カバー３０の内面から突出する冷却突部９４の裏面が凹部９２により形成されるようにしてもよい。
【００６２】
このように構成すれば、エアクリーナ２０の内部を流れる吸気や第２ハウジング２２の外気が凹部８２，９２に流入することによって冷却突部８４，９４が一層冷却される。これにより、冷却突部８４，９４によるブローバイガスの冷却効果を一層高めることができる。
【００６３】
・本発明に係る水分除去装置を構成するカバーを、第２ハウジング２２の頂壁２２ｂの外面に取り付けることもできる。また、第１ハウジング２１の外面に対してカバーを設定することもできる。
【符号の説明】
【００６４】
１０…水分除去装置、２０…エアクリーナ、２１…第１ハウジング、２１ａ…側壁、２１ｂ…底壁、２１ｃ…エアインレット、２１ｄ…フランジ、２２…第２ハウジング、２２ａ…側壁、２２ｂ…頂壁、２２ｃ…エアアウトレット、２２ｄ…フランジ、２３…フィルタエレメント、２４…庇部、２５…接合部、２５ａ…頂部、２５ｂ…底部、２５ｃ…第１側部、２５ｄ…第２側部、２７…導出口、３０…カバー、３１…側部開口、３２…周壁、３２ａ…頂部、３２ｂ…底部、３２ｃ…第１側部、３２ｄ…第２側部、３３…対向壁、３４…フランジ、３７…導入口、４１…第１突部、４３…第３突部、４３ａ…凹部、５２…第２突部、５４…第４突部、８２…凹部、８４…冷却突部、９２…凹部、９４…冷却突部、Ｓ…隙間。
【図１】
2019135384.tif 000003
【図２】
2019135384.tif 000004
【図３】
2019135384.tif 000005
【図４】
2019135384.tif 000006
【図５】
2019135384.tif 000007
【図６】
2019135384.tif 000008
【図７】
2019135384.tif 000009
【図８】
2019135384.tif 000010